(57)【特許請求の範囲】
【請求項１】
本体を含み、
前記本体の中の上方には回転空間が設けられ、前記回転空間の右上壁にはモーターが固定的に連結され、前記回転空間の左上壁には液圧装置が固定的に連結され、前記回転空間の右下方には原料空間が設けられ、前記原料空間の中には増圧板がスライドできるように連結され、前記原料空間の下方には第一含浸溝が形成され、前記原料空間の右側には外層原料空間が設けられ、前記回転空間の中の下方には第一締め付け装置が設けられ、前記第一締め付け装置の右側には第二含浸溝が形成され、前記第二含浸溝の右側には第二締め付け装置が設けられ、前記第二締め付け装置の右側には成形金型が設けられ、
作動する時、原料が前記原料空間の中において前記増圧板の作用により複数の繊維束になって流れ出て、そして前記第一含浸溝によって含浸された後前記第一締め付け装置に着いて繊維棒になり、前記外層原料空間は外層被覆用の繊維束を提供し、前記第二含浸溝を経由し、前記第二締め付け装置を経由した後に繊維棒が外層に被覆されて締め付けられ、最後に前記成形金型によって成形され、冷却後に完全の炭素繊維引抜材が得られ、
前記モーターによって繊維束の延びと炭素繊維材の成形をコントロールし、過程全体が一体化であり、製造効率を向上させたことを特徴とする風力発電用ブレードの主桁に適用される炭素繊維引抜材の製造設備。
【請求項２】
前記液圧装置には液圧ロッドが伝動できるように連結され、前記液圧ロッドが前記増圧板と固定的に連結され、前記原料空間の下方には穴フィルターが設けられ、前記第一含浸溝の中には第一横軸が回転できるように連結され、前記第一横軸には第一含浸輪が固定的に連結され、前記第一含浸溝の右方には第一口が設けられ、前記第一口の中には第二横軸が回転できるように連結され、前記第二横軸には第一案内輪が固定的に連結されていることを特徴とする請求項１に記載の風力発電用ブレードの主桁に適用される炭素繊維引抜材の製造設備。
【請求項３】
前記外層原料空間の右下には小穴が設けられ、前記回転空間の中の下方には中空間が設けられ、前記中空間の左壁には第三横軸が回転できるように連結され、前記第三横軸には第一歯車が固定的に連結され、前記第一歯車には前記中空管の左壁と回転できるように連結された左歯車軸スリーブが噛合しており、前記左歯車軸スリーブの中には第一短軸と第二短軸とが回転できるように連結され、前記第一短軸には第一押し輪が固定的に連結され、前記第二短軸には第二押し輪が固定的に連結され、前記中空間の中には第四横軸が回転できるように連結され、前記第四横軸には第二案内輪が固定的に連結され、前記第三横軸の右端には第二歯車が固定的に連結されていることを特徴とする請求項１に記載の風力発電用ブレードの主桁に適用される炭素繊維引抜材の製造設備。
【請求項４】
前記第二歯車が第三歯車と噛合しており、前記第三歯車が第五横軸と固定的に連結され、前記第五横軸が第四歯車と固定的に連結され、前記第四歯車が第五歯車と噛合しており、前記第五歯車が前記中空間の右壁と回転できるように連結された第六横軸と固定的に連結され、前記第六横軸が第六歯車と固定的に連結されていることを特徴とする請求項１に記載の風力発電用ブレードの主桁に適用される炭素繊維引抜材の製造設備。
【請求項５】
前記第二含浸溝の中には第七横軸が回転できるように連結され、前記第七横軸には第二含浸輪が固定的に連結され、前記第二含浸溝の中には第八横軸が回転できるように連結され、前記第八横軸には第三案内輪が固定的に連結され、前記第二含浸溝の右方には第九横軸が回転できるように連結され、前記第九横軸には第三案内輪が固定的に連結されていることを特徴とする請求項１に記載の風力発電用ブレードの主桁に適用される炭素繊維引抜材の製造設備。
【請求項６】
前記第六歯車には右歯車軸スリーブが噛合しており、前記右歯車軸の中には第三短軸と第四短軸とが回転できるように連結され、前記第三短軸と前記第四短軸とにはそれぞれ第三押し輪と第四押し輪とが固定的に連結され、前記第六横軸には第一はすば歯車が固定的に連結され、前記第一はすば歯車には第二はすば歯車が噛合しており、前記第二はすば歯車には右横軸が固定的に連結され、前記右横軸が前記回転空間の右下方に設置された原料出し空間の内壁と回転できるように連結され、前記右横軸には第三はすば歯車が固定的に連結され、前記右横軸には上スプロケットが固定的に連結され、前記上スプロケットにはチェーンが伝動できるように連結され、前記チェーンには下スプロケットが伝動できるように連結され、前記下スプロケットには前記原料出し空間と回転できるように連結された上横軸が固定的に連結され、前記上横軸には上歯車が固定的に連結され、前記上歯車には下歯車が噛合しており、前記下歯車には前記原料出し空間と回転できるように連結された下横軸が固定的に連結され、前記上横軸と前記下横軸とにはそれぞれ上送り輪と下送り輪とが固定的に連結されていることを特徴とする請求項１に記載の風力発電用ブレードの主桁に適用される炭素繊維引抜材の製造設備。
【請求項７】
前記モーターには出力軸が伝動できるように連結され、前記出力軸には扇形はすば歯車が固定的に連結され、前記扇形はすば歯車には第四はすば歯車が間欠的に噛合しており、前記第四はすば歯車には前記回転空間の右壁と回転できるように連結された右上軸が固定的に連結され、前記右上軸にはカムが固定的に連結され、前記出力軸には前スプロケットが固定的に連結され、前記前スプロケットには上チェーンが伝動できるように連結され、前記上チェーンには後スプロケットが伝動できるように連結され、前記後スプロケットには前記回転空間の下壁と回転できるように連結された縦軸が固定的に連結され、前記縦軸には扇形歯車が固定的に連結されていることを特徴とする請求項１に記載の風力発電用ブレードの主桁に適用される炭素繊維引抜材の製造設備。
【請求項８】
前記原料出し空間の上壁には連結ロッドが固定的に連結され、前記連結ロッドには接触ロッドが固定的に連結され、前記原料出し空間の上壁には伸縮ロッドがスライドできるように連結され、前記伸縮ロッドには成形金型が固定的に連結され、前記成形金型の下方には送りベルトが設けられ、前記送りベルトには左プーリーと右プーリーとが伝動できるように連結され、前記左プーリーには前記原料出し空間の内壁と回転できるように連結された左小軸が固定的に連結され、前記右プーリーには前記原料出し空間の内壁と回転できるように連結された右小軸が固定的に連結され、前記接触ロッドの下方にはばねが固定的に連結され、前記ばねには前記成形金型が固定的に連結されていることを特徴とする請求項１に記載の風力発電用ブレードの主桁に適用される炭素繊維引抜材の製造設備。
【発明の詳細な説明】
【技術分野】
【０００１】
本願発明は風力発電設備分野を取り上げて、具体的には風力発電用ブレードの主桁に適用される炭素繊維引抜材の製造設備である。
【背景技術】
【０００２】
風力発電に関わる産業の技術の向上に連れ、現在では、風力発電用ブレードの長さもどんどん長くなり、風力発電用ブレードの重量を減らすことが必要になりつつある。炭素繊維複合材は強度が高くて重量も軽いため、風力発電用ブレードに最も適用されている。引抜成形プロセスは、強化基材に樹脂を含浸させ金型に引き込み、型内で所定の断面形状に硬化させ、引抜き装置で連続または間欠的に引抜いて所定の長さに切断し、同断面の成形品が長尺で得られます。しかし既存の製造設備の中、完全的に自動で製造できる機械設備がなく、従って、風力発電用ブレードの主桁に適用される炭素繊維引抜材の製造設備を設計する。
【先行技術文献】
【特許文献】
【０００３】
【特許文献１】中国特許出願公開第１０５５３１０９３号明細書
【発明の概要】
【発明が解決しようとする課題】
【０００４】
技術問題：既存の引抜き装置は自動化程度が高くなく、改良されるべきである。
【課題を解決するための手段】
【０００５】
上記の課題を解決するため、本願発明は以下の技術プランを採用する：本願発明の風力発電用ブレードの主桁に適用される炭素繊維引抜材の製造設備は、本体を含み、前記本体の中の上方には回転空間が設けられ、前記回転空間の右上壁にはモーターが固定的に連結され、前記回転空間の左上壁には液圧装置が固定的に連結され、前記回転空間の右下方には原料空間が設けられ、前記原料空間の中には増圧板がスライドできるように連結され、前記原料空間の下方には第一含浸溝が形成され、前記原料空間の右側には外層原料空間が設けられ、前記回転空間の中の下方には第一締め付け装置が設けられ、前記第一締め付け装置の右側には第二含浸溝が形成され、前記第二含浸溝の右側には第二締め付け装置が設けられ、前記第二締め付け装置の右側には成形金型が設けられ、作動する時、原料が前記原料空間の中において前記増圧板の作用により複数の繊維束になって流れ出て、そして前記第一含浸溝によって含浸された後前記第一締め付け装置に着いて繊維棒になり、前記外層原料空間は外層被覆用の繊維束を提供し、前記第二含浸溝を経由し、前記第二締め付け装置を経由した後に繊維棒が外層に被覆されて締め付けられ、最後に前記成形金型によって成形され、冷却後に完全の炭素繊維引抜材が得られ、前記モーターによって繊維束の延びと炭素繊維材の成形をコントロールし、過程全体が一体化であり、製造効率を向上させた。
【０００６】
更の技術プラン、前記液圧装置には液圧ロッドが伝動できるように連結され、前記液圧ロッドが前記増圧板と固定的に連結され、前記原料空間の下方には穴フィルターが設けられ、前記第一含浸溝の中には第一横軸が回転できるように連結され、前記第一横軸には第一含浸輪が固定的に連結され、前記第一含浸溝の右方には第一口が設けられ、前記第一口の中には第二横軸が回転できるように連結され、前記第二横軸には第一案内輪が固定的に連結されている。
【０００７】
更の技術プラン、前記外層原料空間の右下には小穴が設けられ、前記回転空間の中の下方には中空間が設けられ、前記中空間の左壁には第三横軸が回転できるように連結され、前記第三横軸には第一歯車が固定的に連結され、前記第一歯車には前記中空管の左壁と回転できるように連結された左歯車軸スリーブが噛合しており、前記左歯車軸スリーブの中には第一短軸と第二短軸とが回転できるように連結され、前記第一短軸には第一押し輪が固定的に連結され、前記第二短軸には第二押し輪が固定的に連結され、前記中空間の中には第四横軸が回転できるように連結され、前記第四横軸には第二案内輪が固定的に連結され、前記第三横軸の右端には第二歯車が固定的に連結されている。
【０００８】
更の技術プラン、前記第二歯車が第三歯車と噛合しており、前記第三歯車が第五横軸と固定的に連結され、前記第五横軸が第四歯車と固定的に連結され、前記第四歯車が第五歯車と噛合しており、前記第五歯車が前記中空間の右壁と回転できるように連結された第六横軸と固定的に連結され、前記第六横軸が第六歯車と固定的に連結されている。
【０００９】
更の技術プラン、前記第二含浸溝の中には第七横軸が回転できるように連結され、前記第七横軸には第二含浸輪が固定的に連結され、前記第二含浸溝の中には第八横軸が回転できるように連結され、前記第八横軸には第三案内輪が固定的に連結され、前記第二含浸溝の右方には第九横軸が回転できるように連結され、前記第九横軸には第三案内輪が固定的に連結されている。
【００１０】
更の技術プラン、前記第六歯車には右歯車軸スリーブが噛合しており、前記右歯車軸の中には第三短軸と第四短軸とが回転できるように連結され、前記第三短軸と前記第四短軸とにはそれぞれ第三押し輪と第四押し輪とが固定的に連結され、前記第六横軸には第一はすば歯車が固定的に連結され、前記第一はすば歯車には第二はすば歯車が噛合しており、前記第二はすば歯車には右横軸が固定的に連結され、前記右横軸が前記回転空間の右下方に設置された原料出し空間の内壁と回転できるように連結され、前記右横軸には第三はすば歯車が固定的に連結され、前記右横軸には上スプロケットが固定的に連結され、前記上スプロケットにはチェーンが伝動できるように連結され、前記チェーンには下スプロケットが伝動できるように連結され、前記下スプロケットには前記原料出し空間と回転できるように連結された上横軸が固定的に連結され、前記上横軸には上歯車が固定的に連結され、前記上歯車には下歯車が噛合しており、前記下歯車には前記原料出し空間と回転できるように連結された下横軸が固定的に連結され、前記上横軸と前記下横軸とにはそれぞれ上送り輪と下送り輪とが固定的に連結されている。
【００１１】
更の技術プラン、前記モーターには出力軸が伝動できるように連結され、前記出力軸には扇形はすば歯車が固定的に連結され、前記扇形はすば歯車には第四はすば歯車が間欠的に噛合しており、前記第四はすば歯車には前記回転空間の右壁と回転できるように連結された右上軸が固定的に連結され、前記右上軸にはカムが固定的に連結され、前記出力軸には前スプロケットが固定的に連結され、前記前スプロケットには上チェーンが伝動できるように連結され、前記上チェーンには後スプロケットが伝動できるように連結され、前記後スプロケットには前記回転空間の下壁と回転できるように連結された縦軸が固定的に連結され、前記縦軸には扇形歯車が固定的に連結されている。
【００１２】
前記原料出し空間の上壁には連結ロッドが固定的に連結され、前記連結ロッドには接触ロッドが固定的に連結され、前記原料出し空間の上壁には伸縮ロッドがスライドできるように連結され、前記伸縮ロッドには成形金型が固定的に連結され、前記成形金型の下方には送りベルトが設けられ、前記送りベルトには左プーリーと右プーリーとが伝動できるように連結され、前記左プーリーには前記原料出し空間の内壁と回転できるように連結された左小軸が固定的に連結され、前記右プーリーには前記原料出し空間の内壁と回転できるように連結された右小軸が固定的に連結され、前記接触ロッドの下方にはばねが固定的に連結され、前記ばねには前記成形金型が固定的に連結されている。
【発明の効果】
【００１３】
本願発明は圧力を増加する方法で炭素繊維原料を繊維束にし、コア層原料が含浸された後、外層原料を被覆し含浸され、有効に材料の強度を向上させ、機械の伝動により炭素繊維束を締め付けて送って延ばし、最後に成形金型を経由し成形し、プロセス全体が連続で行われ、製造効率を向上させた。
【図面の簡単な説明】
【００１４】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の風力発電用ブレードの主桁に適用される炭素繊維引抜材の製造設備の全体構成略図
【図２】図２は図１のＡの拡大構成略図
【図３】図３は図１のＢの拡大構成略図
【図４】図４は図１のＣの拡大構成略図
【図５】図５は図１のＤ―Ｄの断面構成略図
【図６】図６は図３のＥ―Ｅの断面構成略図
【発明を実施するための形態】
【００１６】
本願発明の風力発電用ブレードの主桁に適用される炭素繊維引抜材の製造設備は、主に風力発電用ブレードの主桁の製造に適用される。
【００１７】
本願発明の風力発電用ブレードの主桁に適用される炭素繊維引抜材の製造設備は、本体１０を含み、前記本体１０の中の上方には回転空間１１が設けられ、前記回転空間１１の右上壁にはモーター２７が固定的に連結され、前記回転空間１１の左上壁には液圧装置１２が固定的に連結され、前記回転空間１１の右下方には原料空間１５が設けられ、前記原料空間１５の中には増圧板１４がスライドできるように連結され、前記原料空間１５の下方には第一含浸溝４４が形成され、前記原料空間１５の右側には外層原料空間１６が設けられ、前記回転空間１１の中の下方には第一締め付け装置３９が設けられ、前記第一締め付け装置３９の右側には第二含浸溝３６が形成され、前記第二含浸溝３６の右側には第二締め付け装置２４が設けられ、前記第二締め付け装置２４の右側には成形金型７９が設けられ、作動する時、原料が前記原料空間１５の中において前記増圧板１４の作用により複数の繊維束になって流れ出て、そして前記第一含浸溝４４によって含浸された後前記第一締め付け装置３９に着いて繊維棒になり、前記外層原料空間１６は外層被覆用の繊維束を提供し、前記第二含浸溝３６を経由し、前記第二締め付け装置２４を経由した後に繊維棒が外層に被覆されて締め付けられ、最後に前記成形金型７９によって成形され、冷却後に完全の炭素繊維引抜材が得られ、前記モーター２７によって繊維束の延びと炭素繊維材の成形をコントロールし、過程全体が一体化であり、製造効率を向上させた。
【００１８】
前記液圧装置１２には液圧ロッド１３が伝動できるように連結され、前記液圧ロッド１３が前記増圧板１４と固定的に連結され、前記原料空間１５の下方には穴フィルター４６が設けられ、前記第一含浸溝４４の中には第一横軸４３が回転できるように連結され、前記第一横軸４３には第一含浸輪４２が固定的に連結され、前記第一含浸溝４４の右方には第一口４５が設けられ、前記第一口４５の中には第二横軸４０が回転できるように連結され、前記第二横軸４０には第一案内輪４１が固定的に連結されている。
【００１９】
前記外層原料空間１６の右下には小穴１７が設けられ、前記回転空間１１の中の下方には中空間５４が設けられ、前記中空間５４の左壁には第三横軸４７が回転できるように連結され、前記第三横軸４７には第一歯車４８が固定的に連結され、前記第一歯車４８には前記中空管５４の左壁と回転できるように連結された左歯車軸スリーブ４９が噛合しており、前記左歯車軸スリーブ４９の中には第一短軸５０と第二短軸５２とが回転できるように連結され、前記第一短軸５０には第一押し輪５１が固定的に連結され、前記第二短軸５２には第二押し輪５３が固定的に連結され、前記中空間５４の中には第四横軸１９が回転できるように連結され、前記第四横軸１９には第二案内輪１８が固定的に連結され、前記第三横軸４７の右端には第二歯車５５が固定的に連結されている。
【００２０】
前記第二歯車５５が第三歯車５６と噛合しており、前記第三歯車５６が第五横軸２１と固定的に連結され、前記第五横軸２１が第四歯車９２と固定的に連結され、前記第四歯車９２が第五歯車５８と噛合しており、前記第五歯車５８が前記中空間５４の右壁と回転できるように連結された第六横軸９０と固定的に連結され、前記第六横軸９０が第六歯車５９と固定的に連結されている。
【００２１】
前記第二含浸溝３６の中には第七横軸２３が回転できるように連結され、前記第七横軸２３には第二含浸輪２２が固定的に連結され、前記第二含浸溝３６の中には第八横軸３７が回転できるように連結され、前記第八横軸３７には第三案内輪３８が固定的に連結され、前記第二含浸溝３６の右方には第九横軸６１が回転できるように連結され、前記第九横軸６１には第三案内輪６２が固定的に連結されている。
【００２２】
前記第六歯車５９には右歯車軸スリーブ６３が噛合しており、前記右歯車軸６３の中には第三短軸と第四短軸６６とが回転できるように連結され、前記第三短軸６５と前記第四短軸６６とにはそれぞれ第三押し輪６４と第四押し輪６７とが固定的に連結され、前記第六横軸９０には第一はすば歯車６０が固定的に連結され、前記第一はすば歯車６０には第二はすば歯車６８が噛合しており、前記第二はすば歯車６８には右横軸９３が固定的に連結され、前記右横軸９３が前記回転空間１１の右下方に設置された原料出し空間９４の内壁と回転できるように連結され、前記右横軸９３には第三はすば歯車８４が固定的に連結され、前記右横軸９３には上スプロケット８５が固定的に連結され、前記上スプロケット８５にはチェーン８６が伝動できるように連結され、前記チェーン８６には下スプロケット８７が伝動できるように連結され、前記下スプロケット８７には前記原料出し空間９４と回転できるように連結された上横軸７０が固定的に連結され、前記上横軸７０には上歯車８８が固定的に連結され、前記上歯車８８には下歯車８９が噛合しており、前記下歯車８９には前記原料出し空間９４と回転できるように連結された下横軸７１が固定的に連結され、前記上横軸７０と前記下横軸７１とにはそれぞれ上送り輪６９と下送り輪７２とが固定的に連結されている。
【００２３】
前記モーター２７には出力軸３０が伝動できるように連結され、前記出力軸３０には扇形はすば歯車２６が固定的に連結され、前記扇形はすば歯車２６には第四はすば歯車２８が間欠的に噛合しており、前記第四はすば歯車２８には前記回転空間１１の右壁と回転できるように連結された右上軸２９が固定的に連結され、前記右上軸２９にはカム３１が固定的に連結され、前記出力軸３０には前スプロケット２５が固定的に連結され、前記前スプロケット２５には上チェーン８１が伝動できるように連結され、前記上チェーン８１には後スプロケット８２が伝動できるように連結され、前記後スプロケット８１には前記回転空間１１の下壁と回転できるように連結された縦軸３３が固定的に連結され、前記縦軸３３には扇形歯車８３が固定的に連結されている。
【００２４】
前記原料出し空間９４の上壁には連結ロッド３４が固定的に連結され、前記連結ロッド３４には接触ロッド８０が固定的に連結され、前記原料出し空間９４の上壁には伸縮ロッド３２がスライドできるように連結され、前記伸縮ロッド３２には成形金型７９が固定的に連結され、前記成形金型７９の下方には送りベルト７５が設けられ、前記送りベルト７５には左プーリー７４と右プーリー７７とが伝動できるように連結され、前記左プーリー７４には前記原料出し空間９４の内壁と回転できるように連結された左小軸７３が固定的に連結され、前記右プーリー７７には前記原料出し空間９４の内壁と回転できるように連結された右小軸７６が固定的に連結され、前記接触ロッド８０の下方にはばね７８が固定的に連結され、前記ばね７８には前記成形金型７９が固定的に連結されている。
【００２５】
以下に図１〜６を合わせて本願発明の風力発電用ブレードの主桁に適用される炭素繊維引抜材の製造設備の使用手順を詳しく説明する。
１、炭素繊維原料が前記原料空間１５の中で加熱された後、前記液圧装置１２を起動し、前記液圧ロッド１３が前記増圧板１４を下方へ押し動かし、炭素繊維原料が前記穴フィルター４６を経由して複数の繊維束になり、繊維束が前記第一含浸溝４４に含浸された後に前記第一含浸輪４２を経由し、そして前記第一案内輪４１を経由し、前記第一締め付け装置３９によって繊維棒に締め付けられ、繊維棒が前記第三案内輪３８のところで外層原料と接触し、ともに前記第二含浸溝３６によって含浸されて前記第二含浸輪２２を経由し、そして前記第二締め付け装置２４を経由し締め付けられ、最終的に前記成形金型７９を経由し成形される。
２、前記モーター２７を起動し、前記出力軸３０が駆動されて回転し、前記扇形はすば歯車２６が駆動されて回転し、伝動により前記扇形歯車８３が駆動されて回転し、前記扇形歯車８３が前記第三はすば歯車８４と噛合した時、前記右横軸９３が駆動されて回転し、伝動により前記左歯車軸スリーブ４９が駆動されて回転し、前記右歯車軸スリーブ６３が駆動されて回転し、前記上送り輪６９と前記下送り輪７２とが駆動されて回転し、繊維棒が駆動されて前方へ移動する。
３、繊維棒が前記成形金型７９の下方に着いた時、前記扇形はすば歯車２６が前記第四はすば歯車２８と噛合し、前記カム３１が駆動されて回転し前記伸縮ロッド３２と接触し、前記伸縮ロッド３２が下方へ移動し、前記成形金型７９が駆動されて下方へ移動し、前記成形金型７９が繊維棒を押して切断し、完全な炭素繊維引抜材を得て、その後前記カム３１が前記伸縮ロッド３２と接触しなくなり、前記成形金型７９がバネ力の作用により上方へ移動し、前記接触ロッド８０が前記成形金型７９に対して下方へ移動し、前記成形金型７９における材料が押し動かされて前記送りベルト７６に落ちる。
【００２６】
本願発明の有益効果は：本願発明は圧力を増加する方法で炭素繊維原料を繊維束にし、コア層原料が含浸された後、外層原料を被覆し含浸され、有効に材料の強度を向上させ、機械の伝動により炭素繊維束を締め付けて送って延ばし、最後に成形金型を経由し成形し、プロセス全体が連続で行われ、製造効率を向上させた。
【００２７】
以上の方式により、当業者は本願発明の範囲内に作業方式によって各種の変化を加えることができる。
【要約】
【課題】本願発明は風力発電用ブレードの主桁に適用される炭素繊維引抜材の製造設備を開示した。
【解決手段】
本体を含み、前記本体の中の上方には回転空間が設けられ、前記回転空間の右上壁にはモーターが固定的に連結され、前記回転空間の左上壁には液圧装置が固定的に連結され、前記回転空間の右下方には原料空間が設けられ、前記原料空間の中には増圧板がスライドできるように連結され、前記原料空間の下方には一級含浸溝が形成され、前記原料空間の右側には外層原料空間が設けられ、前記回転空間の中の下方には一級締め付け装置が設けられ、前記一級締め付け装置の右側には二級含浸溝が形成され、前記二級含浸溝の右側には二級締め付け装置が設けられ、前記二級締め付け装置の右側には成形金型が設けられている。
【選択図】図１【図１】
0006752996.tif 000002
【図２】
0006752996.tif 000003
【図３】
0006752996.tif 000004
【図４】
0006752996.tif 000005
【図５】
0006752996.tif 000006
【図６】
0006752996.tif 000007